(57)【要約】【課題】  金具の穴等に容易に打込み可能な燃焼式釘打機を提供する。【解決手段】  射出部先端に配したプッシュレバーが射出部先端前方に障害物がないとき、トリガの引き操作によりプッシュレバーが出張り、燃焼室枠が下がり燃焼室枠の密閉は開放され、トリガ操作阻止部材により、本体は非起動となり、射出部先端前方に障害物があるときは、プッシュレバーの出張りが阻止され、トリガ操作阻止部材がトリガの引き操作阻止が解除され、トリガを引き操作する過程において燃焼室枠の下降移動が阻止され、燃焼室の形成状態を維持し、燃焼室内への可燃ガスを噴射、スパークが発生し、釘を打ち出すことを特徴とした燃焼式釘打機。【選択図】  図１
2011156607.tif 000002
【特許請求の範囲】
【請求項１】
一端と他端とを有するハウジングと、
該ハウジングの一端近傍に設けられたシリンダヘッドと、
軸心が該ハウジングの一端と他端とを結ぶ方向に指向した位置関係で該ハウジング内に固定して設けられたシリンダと、
該ハウジングの他端部に設けられ釘を案内する射出部と、
該射出部へ給送される釘を収容するマガジンと、
該ハウジングの他端部に設けられ工作物への押圧時に移動可能なプッシュレバーと、
該シリンダの軸方向に該シリンダに対して往復摺動可能であり、該シリンダをシリンダ内ピストン下室とピストン上室とに画成するピストンと、
該ハウジング内において移動可能に案内され、該プッシュレバーの移動に連動して該シリンダヘッドに当接、離間し、該シリンダヘッド、該ピストン、該シリンダと共に燃焼室を画成する燃焼室枠とを有し、
該燃焼室に燃料ガスが供給されたあと、スパークによるガス燃焼膨張エネルギにより該ピストンを下降させ釘を打ち込む燃焼式釘打機において、
該射出部にセットされた釘は初期状態において、釘の先端が射出部端部より突出しており、
ガスを燃焼する燃焼室は、常時上方に位置する燃焼室枠により密閉形成されており、トリガの引き操作をすると、
射出部先端に配したプッシュレバーが射出部先端前方に障害物がないとき、トリガの引き操作によりプッシュレバーが出張り、燃焼室枠が下がり燃焼室枠の密閉は開放され、トリガ操作阻止部材により、本体は非起動となり、
射出部先端前方に障害物があるときは、プッシュレバーの出張りが阻止され、トリガ操作阻止部材がトリガの引き操作阻止が解除され、
トリガを引き操作する過程において燃焼室枠の下降移動が阻止され、燃焼室の形成状態を維持し、燃焼室内へ可燃ガスを噴射し、スパークが発生し、釘を打ち出すことを特徴とした燃焼式釘打機。
【発明の詳細な説明】
【技術分野】
【０００１】
本発明は打込工具に関し、特に燃焼式の打込工具に関する。
【背景技術】
【０００２】
燃焼力により駆動する釘打機が知られている。従来の燃焼式釘打機は、釘打機の射出部から伸びるプッシュレバーを押しあげるとこにより、燃焼室枠の移動による燃焼室形成、ガスボンベから燃焼室へのガス供給、ファンの回転が行われ、その後のトリガの操作により、燃焼室枠でスパークが起こり、釘を打ち込んでいた。
【０００３】
この操作は、通常の木材表面に釘を打ち込む場合は問題ないが、金具の穴を狙って釘を打ち込む場合、プッシュレバーの押し込み操作があるため、釘の先端が金具の穴に狙えない不具合があった。
【０００４】
この改善案として、空気釘打機として特許文献１の発明が周知である。
【先行技術文献】
【特許文献】
【０００５】
【特許文献１】特開２００１−３２８０７８号公報
【発明の概要】
【発明が解決しようとする課題】
【０００６】
特許文献１の発明の特徴は、射出部近傍に配したプッシュレバーは初期時、後退しており、トリガ引き操作を行うことによりプッシュレバーが突出し、金具の表面を感知し、よってプッシュレバーの出張りが阻止され、トリガ操作でスイッチバルブが動作し、本体が起動する。一方金具表面などの障害部材がないときは、プッシュレバーが出張り、トリガを操作してもスイッチバルブが動作せず、本体が非起動のままである。
【０００７】
金具を止める作業は、連続的に一定間隔で連続的に行うことはなく、また接合金具は建築部材の接合個所に使われるため入込んだ形状となっている。そのため、空気釘打機に接続された圧縮空気供給用のホースが作業の邪魔となる。
【０００８】
よって、ホースが接続されていない燃焼式釘打機の金具止め専用機の開発が望まれていた。
【課題を解決するための手段】
【０００９】
上記課題は、一端と他端とを有するハウジングと、該ハウジングの一端近傍に設けられたシリンダヘッドと、軸心が該ハウジングの一端と他端とを結ぶ方向に指向した位置関係で該ハウジング内に固定して設けられたシリンダと、該ハウジングの他端部に設けられ釘を案内する射出部と、該射出部へ給送される釘を収容するマガジンと、該ハウジングの他端部に設けられ工作物への押圧時に移動可能なプッシュレバーと、該シリンダの軸方向に該シリンダに対して往復摺動可能であり、該シリンダをシリンダ内ピストン下室とピストン上室とに画成するピストンと、該ハウジング内において移動可能に案内され、該プッシュレバーの移動に連動して該シリンダヘッドに当接、離間し、該シリンダヘッド、該ピストン、該シリンダと共に燃焼室を画成する燃焼室枠とを有し、該燃焼室に燃料ガスが供給されたあと、スパークによるガス燃焼膨張エネルギにより該ピストンを下降させ釘を打ち込む燃焼式釘打機において、該射出部にセットされた釘は初期状態において、釘の先端が射出部端部より突出しており、ガスを燃焼する燃焼室は、常時上方に位置する燃焼室枠により密閉形成されており、トリガの引き操作をすると、出部先端に配したプッシュレバーが射出部先端前方に障害物がないとき、トリガの引き操作によりプッシュレバーが出張り、燃焼室枠が下がり燃焼室枠の密閉は開放され、トリガ操作阻止部材により、本体は非起動となり、射出部先端前方に障害物があるときは、プッシュレバーの出張りが阻止され、トリガ操作阻止部材がトリガの引き操作阻止が解除され、トリガを引き操作する過程において燃焼室枠の下降移動が阻止され、燃焼室の形成状態を維持し、燃焼室内への可燃ガスを噴射、スパークが発生し、釘を打ち出すことにより達成される。
【発明の効果】
【００１０】
本発明によれば、初期状態において射出部から釘の先端が出張っているため、釘を容易に金具穴にセットすることが可能となった。
【図面の簡単な説明】
【００１１】
【図１】本発明燃焼式釘打機の一実施形態を示す断面図。
【図２】図１において射出部下に部材がない場合に、トリガの引き操作を行なった場合を示す断面図。
【図３】図１において射出部下に部材がある場合に、トリガの引き操作を行い、本体が機動する状態を示す断面図。
【発明を実施するための形態】
【００１２】
本発明釘打機を一実施形態を示す図１〜３を参照して説明する。図1は本発明釘打機の一実施形態を示す。
【００１３】
燃焼式釘打機1は、ハウジング２、ハンドル３、シリンダヘッド４、燃焼室枠５、プッシュレバー６、シリンダ７、ピストン８、ドライバブレード９、モータ１０、ファン１１、ガスボンベ１２、点火プラグ１３、マガジン１４、射出部１５を主に備えている。シリンダヘッド４は空気が通過可能な複数の穴を有してハウジング２の上方に設けられており、ハンドル３はハウジング２に固定されている。燃焼室枠５は、ハウジング２内においてハウジング２の長手方向に移動可能に設けられ、反シリンダヘッド４方向にバネ付勢されるが、バネの付勢力に抗して一端がシリンダヘッド４に当接可能に設けられる。ハンドル３の図示しない後端には電池が着脱可能に装着され、電池はモータ１０、点火プラグ１３等の駆動用電源となる。
【００１４】
プッシュレバー６は、ハウジング２の他端において移動可能に設けられ、燃焼室枠５と連接されている。シリンダ７は燃焼室枠５に連通可能に位置してハウジング２に固定され、燃焼室枠５の移動を案内すると共に排気穴が形成されている。ピストン８はシリンダ７に対して往復移動可能に設けられ、燃焼室枠５の一端がシリンダヘッド４に当接した時、シリンダヘッド４、燃焼室枠５、シリンダ７のシリンダヘッド４側端部と共に燃焼室１６を形成する。
【００１５】
ドライバブレード9は、ピストン８の反燃焼室側からハウジング２の他端部方向に延設されている。モータ１０はシリンダヘッド４に支持され、ファン１１はモータ１０の回転軸に固定されて燃焼室１６内に位置する。ファン１１は、燃焼室１６内で可燃性ガスと空気を混合して燃焼を促進させると共に燃焼室枠５がシリンダヘッド４から離間した時に、外気をハウジング２内に導入して燃焼室枠５内を掃気し、またシリンダ７の外周側を冷却する役割を果たす。ガスボンベ１２はハウジング２内に収容され、シリンダヘッド４のガス通路を通じて燃焼室１６内に噴射される可燃性ガスを内含する。
【００１６】
プッシュレバー６を押し上げるとそれと繋がっている燃焼室枠５が移動し、外気と遮断した燃焼室１６が形成される。このとき、ガスボンベ１２の背部が押された結果、噴射ノズル1７が移動しガスが噴射される。
その後、トリガを操作することで、燃焼室内でスパークが発生し、燃焼ガスが爆発しピストン８が釘を打ち込む。
【００１７】
次に本発明の要旨であるプッシュレバー６、トリガ１８、燃焼室枠５の詳細な構成について説明する。
【００１８】
ガスを燃焼する燃焼室枠５は、常時上方にある燃焼室枠５により密閉形成されるようばね２０により、上方に押圧されている。燃焼室枠５は、釘が打ち出される射出部１５の近傍に配されたプッシュレバー６と接合されている。
【００１９】
また、トリガ１８には、燃焼室枠５接合部と接合するアーム２１が備えてあり、燃焼室枠５接合部とアーム２１は回転可能に接合されている。トリガ１８には、燃料ガスを蓄えたガスボンベ１２の燃焼室枠５へのガス供給を行うための押圧レバー２２が具備してある。
釘は板状に連結帯で連結され、発射される射出部１５にセットされた釘の先端が射出部１５端部より突出した初期状態でセットされている。初期状態とは、釘が射出部１５内に案内され、トリガ１８を操作しない状態のことである。
【００２０】
次に本発明の動作動作について順を追って説明する。
【００２１】
図２において、射出部１５下に被打込部材がない時、トリガ１８を操作することにより、トリガ１８が回動しトリガ１８のアーム２１先端が下方に移動し、アーム２１と接続された燃焼室枠５が下降するこれにより、燃焼室枠５は開放される。
【００２２】
トリガ操作阻止部材２３は端部２４が燃焼室枠５に接合され、回転中心の回転軸２５を備え、一端がトリガの係止部２６に係り、本体は非起動となる。トリガ１８の回動操作により押圧レバー２２がガスボンベ１２を押し、ガスが供給される。燃焼室枠５は開放されているため、その後スパークが起きても、燃焼ガス濃度が薄くなり燃焼することはない。
【００２３】
図３において、射出部１５下に部材がある時、トリガ１８を操作することにより、トリガ１８が回動しトリガ１８のアーム２１先端が下方に移動する。
【００２４】
これにより前記トリガ操作阻止部材２３が接合された燃焼室枠５が下降しないため、トリガ操作阻止部材２３の一端２７がトリガ１８の係止部２６から外れて引き操作阻止しない位置に配されたままである。
【００２５】
射出部１５下に部材があるためプッシュレバー６の移動が阻止され、燃焼室枠５が下降せず、燃焼室枠５は保持される。その後、トリガ１８操作により、押圧レバー２２がガスボンベ１２を押し、燃焼室枠５にガスが供給される。その後のスパークにより、燃焼ガス燃焼し、燃焼圧力を受けたピストン８が急激に下降し釘を打ち込む。
【００２６】
このような構成により、初期状態において、釘先端が射出部よりも出張っているため、金具の穴へ釘を用意にセットすることが可能になる。
【符号の説明】
【００２７】
１    燃焼式釘打機
２    ハウジング
３    ハンドル
４    シリンダヘッド
５    燃焼室枠
６    プッシュレバー
７    シリンダ
８    ピストン
９    ドライバブレード
１０  モータ
１１  ファン
１２  ガスボンベ
１３  点火プラグ
１４  マガジン
１５  射出部
１６  燃焼室
１７  噴射ノズル
１８  トリガ
１９  穴
２０  ばね
２１  アーム
２２  押圧レバー
２３  トリガ操作阻止部材
２４  端部（トリガ操作阻止部材）
２５  回転軸
２６  係止部（トリガ）
２７  一端（トリガ操作阻止部材）
【図１】
2011156607.tif 000003
【図２】
2011156607.tif 000004
【図３】
2011156607.tif 000005